(57)【要約】【課題】  洗浄期間中の洗浄槽内に泡が発生しているか否かを精度良く検知することができる食器洗浄機を提供する。【解決手段】  食器洗浄機１０は、洗浄槽２０と導入路３２とファン３６と洗浄ノズル２４と制御部４２とを備えている。導入路３２は、洗浄槽２０の内外を連通する。ファン３６は、導入路３２を介して洗浄槽２０内に空気を送る。制御部４２は、ファン３６を制御するとともに、洗浄ノズル２４を回転させて洗浄工程を実行する。食器洗浄機１０では、制御部４２が、洗浄工程が開始されてから洗浄工程が終了するまでの洗浄期間中の第１の期間にファン３６を駆動し、第１の期間におけるファン３６の第１の負荷に関する値を検知する。食器洗浄機１０では、ファン３６の第１の負荷に関する値に基づいて洗浄槽内に泡が発生しているか否かを精度良く検知する。【選択図】図１
2011004865.tif 000002
【特許請求の範囲】
【請求項１】
洗浄槽と、
洗浄槽の内外を連通する通路と、
通路を介して洗浄槽内に空気を送る送風手段と、
洗浄槽内に配置される洗浄ノズルと、
送風手段を制御するとともに、洗浄ノズルを回転させて洗浄工程を実行する制御手段と、を備えており、
制御手段は、洗浄工程が開始されてから洗浄工程が終了するまでの洗浄期間中の第１の期間に送風手段を駆動し、第１の期間における送風手段の第１の負荷に関する値を検知する
ことを特徴とする食器洗浄機。
【請求項２】
制御手段は、洗浄工程の開始前の第２の期間に送風手段を駆動し、第２の期間における送風手段の第２の負荷に関する値を検知し、
制御手段は、第１の負荷に関する値と、第２の負荷に関する値と、の差を算出する
ことを特徴とする請求項１に記載の食器洗浄機。
【請求項３】
制御手段は、第１の負荷に関する値と第２の負荷に関する値との差の絶対値に相当する値が予め決められている所定値よりも大きい場合に、報知工程と消泡工程とのうちの少なくとも１つの工程を実行する
ことを特徴とする請求項２に記載の食器洗浄機。
【発明の詳細な説明】
【技術分野】
【０００１】
本発明は、食器洗浄機に関する。
【背景技術】
【０００２】
特許文献１には、洗浄槽と洗浄ノズルと洗浄ポンプと検知器とを備えた食器洗浄機が開示されている。洗浄ノズルは、洗浄槽内に配置されている。洗浄ポンプは、モータを備えており、モータを駆動して洗浄ノズルに水を供給する。検知器は、このモータへの入力電流からモータの負荷を検知する。一般に食器洗浄機では、泡の発生の少ない食器洗浄機用洗剤が使用される。使用者が食器洗浄機に誤って一般の台所用洗剤を使用した場合、洗浄槽内に多量の泡が発生する。洗浄槽内に多量の泡が発生すると、洗浄ポンプが泡を含む水を送ることになり、この結果、洗浄ポンプのモータの負荷が小さくなるエアガミ状態となる。特許文献１の技術では、上記検知器を用いて食器洗浄工程中のモータの負荷を監視することによって、洗浄槽内に多量の泡が発生したか否かを検知することができる。
【先行技術文献】
【特許文献】
【０００３】
【特許文献１】特開２００６−３１４５０１号公報
【発明の概要】
【発明が解決しようとする課題】
【０００４】
洗浄ポンプのエアガミ状態は、洗浄槽内に泡が発生する状況以外の状況でも発生する。例えば、洗浄工程で用いられる洗浄水の量が少ない場合にも、洗浄ポンプが空気を吸い込み、エアガミ状態が発生する可能性がある。洗浄工程で用いられる洗浄水の量が少なくなる状況は、例えば、以下を原因として発生する。通常、洗浄工程を実行する前に、洗浄工程で用いられる洗浄水を洗浄槽内に供給する。食器洗浄機に設けられた水位センサは、洗浄水の水位が所定高さに到達することを検知する。洗浄水の水位が上記の所定高さに到達すると、洗浄水の供給が停止される。これにより、予め決められた量の洗浄水を洗浄槽内に供給することができる。しかしながら、大きいボールの内面が上になったり、茶碗等の口元が上になってひっくり返った状態で洗浄槽内に配置されることがある。このような状況では、上記の予め決められた量の洗浄水が洗浄槽内に供給されても洗浄工程が実行されると、大きいボールや茶碗に水が溜まり、洗浄工程で用いられる水量が大きいボールや茶碗の容積の分だけ少なくなる。すなわち、洗浄工程中に洗浄ポンプから噴出された洗浄水が大きいボールや茶碗に溜まるため、洗浄工程で有効な洗浄水が少なくなり、洗浄ポンプが空気を吸い込み、洗浄ポンプのエアガミ状態が発生する可能性がある。この場合のエアガミ状態は適量の水を追加するだけで回避できるが、一般洗剤による多量の泡の発生と判定すると無意味な消泡工程や報知工程を行ってしまう。引用文献１の食器洗浄機では、泡の発生に起因するエアガミ状態と、それ以外の要因（例えば洗浄水の量が少ないこと）に起因するエアガミ（以後、単なるエアガミと呼ぶことがある）状態と、を区別して検知することができない。即ち、単なるエアガミを多量の泡の発生と誤って検知する可能性がある。
【０００５】
本明細書では、洗浄槽内に一般洗剤等による多量の泡が発生したことを精度良く検知することができる食器洗浄機を提供する。
【課題を解決するための手段】
【０００６】
本明細書で開示される食器洗浄機は、洗浄槽と通路と送風手段と洗浄ノズルと制御手段とを備えている。通路は、洗浄槽の内外を連通する。送風手段は、通路を介して洗浄槽内に空気を送る。洗浄ノズルは、洗浄槽内に配置される。制御手段は、送風手段を制御するとともに、洗浄ノズルを回転させて洗浄工程を実行する。制御手段は、洗浄工程が開始されてから洗浄工程が終了するまでの洗浄期間中の第１の期間に送風手段を駆動する。また、制御手段は、第１の期間における送風手段の第１の負荷に関する値を検知する。
【０００７】
一般の台所用洗剤を使用すると洗浄工程中に洗浄槽内に泡が多量に発生し、洗浄槽内と送風手段とを連通する通路を塞がれると、通路が塞がれていない状態に比べて送風手段の負荷が少なくなる。本明細書によって開示される食器洗浄機では、送風手段の負荷に基づいて、泡の発生を検知する。即ち、この食器洗浄機では、洗浄工程が開始されてから洗浄工程が終了するまでの洗浄期間中の第１の期間における送風手段の第１の負荷に関する値を検知する。これにより、洗浄期間中に泡が発生したことを検知することができる。
この食器洗浄機では、洗浄水の水量の影響を受けることがない送風手段の負荷を利用して洗浄槽内に泡が発生したか否かを検知することができる。そのため、洗浄槽内に一般洗剤等による多量の泡が発生したことを精度良く検知することができる。
【０００８】
上記した制御手段は、洗浄工程の開始前の第２の期間に送風手段を駆動し、第２の期間における送風手段の第２の負荷に関する値を検知してもよい。また、制御手段は、第１の負荷に関する値と、第２の負荷に関する値と、の差を算出してもよい。
制御手段によって検知される第１の負荷に関する値は、送風手段自体の個体差や外気温等の要因によって変化し得る。また、第１の負荷に関する値は、洗浄槽内での食器類の配置によっても変化し得る。この食器洗浄機では、第１の負荷に関する値の検知に先立って、洗浄工程の開始前に第２の負荷に関する値を検知する。さらに、第１の負荷に関する値と、第２の負荷に関する値と、の差を算出する。これによって、送風手段自体の個体差や外気温等の要因に起因する値の変動を除去することができる。洗浄期間中の洗浄槽内に一般洗剤等による多量の泡が発生しているか否かを精度良く検知することができる。
【０００９】
上記した制御手段は、第１の負荷に関する値と第２の負荷に関する値との差の絶対値に相当する値が予め決められている所定値よりも大きい場合に、報知工程と消泡工程とのうちの少なくとも１つの工程を実行してもよい。
制御手段が報知工程を実行した場合、使用者は、洗浄槽内に一般洗剤等による多量の泡が発生していることを知ることができる。そのため、使用者は、洗浄槽内の泡を除去するように処置を講じることができる。また、制御手段が消泡工程を実行した場合、使用者が処置を講じることなく、洗浄槽内の泡を除去することができ、再び洗浄を開始する等の必要な処理が実行される。
【発明の効果】
【００１０】
本明細書によって開示される食器洗浄機によれば、洗浄期間中の洗浄槽内に一般洗剤等による多量の泡が発生しているか否かを精度良く検知することができる。
【図面の簡単な説明】
【００１１】
【図１】食器洗浄機１０の断面図を示す。
【図２】導入路３２が導通している場合の食器洗浄機１０の断面図を示す。
【図３】導入路３２が導通していない場合の食器洗浄機１０の断面図を示す。
【図４】制御部４２が実行する処理のフローチャートを示す。
【図５】制御部４２が実行する処理のフローチャートを示す。
【図６】制御部４２が実行する処理のフローチャートを示す。
【発明を実施するための形態】
【００１２】
下記に詳細に説明する実施例に記載されている技術の一部を列挙する。
（形態１）  制御手段は、洗浄ノズルの継続的な回転を開始することによって洗浄工程を開始してもよい。制御手段は、洗浄期間中に洗浄ノズルの継続的な回転を一時的に停止してもよい。制御手段は、洗浄ノズルの回転が一時的に停止された第３の期間中の前記第１の期間に送風手段を駆動してもよい。
（形態２）  制御手段は、洗浄ノズルの継続的な回転を終了することによって洗浄工程を終了してもよい。
（形態３）  制御手段は、洗浄工程の開始前に、洗剤を含む洗浄水を洗浄槽内に供給する給水工程を実行してもよい。
（形態４）  制御手段は、洗浄水を利用して洗浄工程を実行してもよい。
（形態５）  制御手段は、洗浄工程の終了後に、洗剤を含まない水を利用してすすぎ工程を実行してもよい。
（形態６）  制御手段は、すすぎ工程の終了後に、送風手段を駆動する乾燥工程を実行してもよい。
（形態７）  送風手段は、自身の回転数を制御手段に出力してもよい。制御手段は、送風手段の回転数を入力することによって、第１の負荷に関する値と、第２の負荷に関する値と、を検知してもよい。
【実施例１】
【００１３】
実施例に係る食器洗浄機について、図面を参照しながら説明する。図１は、実施例１の食器洗浄機１０を模式的に示す。食器洗浄機１０は、引き出し式の食器洗浄機である。食器洗浄機１０は、洗浄機本体１２と食器類を収容する洗浄槽２０とを備えている。洗浄機本体１２は、前面（図１の左側の面）が開口する箱形状をしている。洗浄槽２０は、洗浄機本体１２の収納空間に収納可能であって上部が開口されている。洗浄槽２０の内部には、食器類を載置するための食器かご５０が取り出し可能に設けられている。図１は、洗浄槽２０が洗浄機本体１２に収容されている状態（収容状態）の食器洗浄機１０を示している。
【００１４】
洗浄機本体１２の構造を説明する。洗浄機本体１２は、給水電磁弁１４とスライド機構１６と本体蓋１８とを備えている。給水電磁弁１４は、給水管１５ａに接続されており、洗浄槽２０に供給される水量を調整する。スライド機構１６は、洗浄槽２０を図１の左右方向に移動させる。洗浄槽２０は、スライド機構１６に沿って移動する。洗浄槽２０は、洗浄機本体１２に収容されている収容位置と収容されていない非収容位置との間で移動する。本体蓋１８は、洗浄槽２０が収容位置に到達したときに、洗浄槽２０の開口を塞ぐ。給水電磁弁１４とスライド機構１６は、後述する制御部４２に接続されており、制御部４２によって制御されている。
【００１５】
食器洗浄機１０は、さらに、洗浄ポンプ２２と洗浄ノズル２４とヒータ２６とフィルタ２８と乾燥用空気の導入路３２と排出路３４とファン３６とを備えている。
洗浄ポンプ２２は、インペラ４６を備えている。洗浄ポンプ２２は、内蔵する電気モータ（図示されていない）によってインペラ４６を回転させる。洗浄ポンプ２２は、内蔵する電気モータによってインペラ４６を一方向（順方向）に回転させることもできるし、その逆の方向（逆方向）に回転させることもできる。洗浄ポンプ２２は、吸込流路４４を介して洗浄槽２０の底部２０ａと連通している。また、洗浄ポンプ２２は、排水管１５ｂに接続されている。
食器洗浄機１０では、給水管１５ａから洗浄槽２０に供給された水が洗浄槽２０の底部２０ａに溜められる。洗浄ポンプ２２は、インペラ４６を一方向に回転させることで、吸込流路４４を通して洗浄槽２０の底部２０ａから水を吸い込み、洗浄ノズル２４に水を供給する。また、洗浄ポンプ２２は、インペラ４６を逆の方向に回転させることで、吸込流路４４を通して洗浄槽２０の底部２０ａから水を吸い込み、排水管１５ｂを介して外部に排水する。すなわち、洗浄ポンプ２２は、洗浄ノズル２４に水を供給する給水ポンプと、排水管１５ｂを介して外部に排水する排水ポンプの両方の役割を担っている。
【００１６】
洗浄ノズル２４は、中央ノズル２４ａと回転ノズル２４ｂとを備えている。中央ノズル２４ａは、軸Ａに沿って伸びている。回転ノズル２４ｂは、軸Ａに対して垂直方向に伸びている。中央ノズル２４ａと回転ノズル２４ｂとには、洗浄ポンプ２２から供給された水を噴射するための複数の噴射口３０が形成されている。洗浄ノズル２４は、軸Ａまわりに回転可能に構成されている。洗浄ノズル２４は、水を噴射口３０から洗浄槽２０に噴射する際に、軸Ａまわりに回転する。これによって、洗浄槽２０内の全ての領域に水が噴射される。ヒータ２６は、洗浄槽２０内を加熱する。フィルタ２８は、洗浄槽２０の下部に設けられている。フィルタ２８は、食器類から取り除かれた残菜を受け止める。洗浄ポンプ２２とヒータ２６は、後述する制御部４２に接続されており、制御部４２によって制御されている。
【００１７】
導入路３２（通路の一例）は、洗浄槽２０の外部に設けられた第１導入路３２ａと、洗浄槽２０の内部に設けられた第２導入路３２ｂを備えている。導入路３２は、洗浄槽２０の内部と外部（洗浄槽２０の外部であり、洗浄機本体１２の内部）とを連通する。第１導入路３２ａは、ファン３６（送風手段の一例）に接続されている。第２導入路３２ｂは、洗浄槽２０の後部（図１の右側）に接続されている。第２導入路３２ｂの洗浄槽２０の内部側の端部は、食器かご５０よりも下部に位置している。
【００１８】
排出路３４は、洗浄槽２０の前部（図１の左側）に接続されている。排出路３４は、洗浄槽２０の内部と洗浄機本体１２の外部とを連通する。ファン３６は、導入路３２を介して洗浄槽２０内に空気を送る。ファン３６によって洗浄槽２０内に送られた空気は、洗浄槽２０を通過し、排出路３４を介して洗浄機本体１２の外部へと排気される。ファン３６は、後述する制御部４２に接続されており、制御部４２によって制御されている。ファン３６は、自身の回転数を後述する制御部４２に出力する。
【００１９】
洗浄槽２０の前方（図１の左側）には、入力部３８と報知器４０と制御部４２（制御手段の一例）とが設けられている。
入力部３８は、使用者が食器洗浄機１０の電源オン／オフを切換える時に操作する電源スイッチ３８ａと、使用者が食器洗浄工程をスタートさせる際に操作するスタートスイッチ３８ｂとが設けられている。スイッチ３８ａ，３８ｂが操作されると、スイッチ３８ａ、３８ｂから制御部４２に信号が入力される。報知器４０は、制御部４２に接続されており、制御部４２によって制御されている。報知器４０は、制御部４２からの指示に基づいて、表示及び音によって使用者に報知する。制御部４２は、上記したように、食器洗浄機１０内の複数の装置に接続されており、各々の装置を独立に制御している。
【００２０】
図４〜６は、制御部４２が実行する処理のフローチャートである。使用者の操作によって入力部３８の電源スイッチ３８ａがオンされ、その後にスタートスイッチ３８ｂがオンされると、制御部４２は、洗浄前工程Ｌ１を実施する（図４参照）。
【００２１】
（洗浄前工程Ｌ１）
制御部４２は、洗浄ポンプ２２を駆動することによって、洗浄槽２０に溜まった水を除去する（Ｓ２）。前回運転時に、使用者が運転途中に食器洗浄を終了させた場合、洗浄槽２０の中に水（残水）が溜まっていることがある。本実施例では、洗浄槽２０に水を供給するのに先立って、洗浄槽２０内の残水を除去する。これによって、前回運転時に使用された水が、洗浄水として再び使用されるのを防止することができる。また、洗浄槽２０に水が過剰に供給されて、洗浄槽２０から水が溢れ出てしまうことが防止される。
【００２２】
次に制御部４２は、給水電磁弁１４を開くことによって、給水管１５ａから洗浄槽２０に水を供給する（Ｓ４）。洗浄槽２０には、制御部４２の処理によって予め洗浄槽２０に洗剤が注入されている。そのため、洗浄槽２０には洗剤を含む水（洗浄水）が供給される。図示省略しているが、食器洗浄機１０は、所定高さの水位であるのか否かを検出する水位センサを備える。本実施例の上記の所定高さは、図２に示すように、第２導入路３２ｂの洗浄槽２０の内部側の端部よりも低い位置である。洗浄槽２０に洗浄水が供給された状態でも、導入路３２から供給される空気を、洗浄槽２０を介して排出路３４に送ることができる。
【００２３】
次に制御部４２は、ファン３６を駆動する（Ｓ６）。制御部４２は、ファン３６から出力される回転数を入力する。制御部４２は、ファン３６を期間ＴＭ（第２の期間の一例）に亘って駆動した後に、ファン３６を停止する（Ｓ８）。制御部４２は、期間ＴＭに入力されたファン３６の回転数ＶＭ（第２の負荷の一例）を記憶する（Ｓ１０）。制御部４２は、洗浄前工程Ｌ１を終了する。
【００２４】
（洗浄工程Ｌ２）
制御部４２は、洗浄前工程Ｌ１の終了後、洗浄工程Ｌ２を実施する（図５参照）。制御部４２は、洗浄ポンプ２２を駆動することによって、洗浄ノズル２４に洗浄水を供給する（Ｓ１２）。洗浄ノズル２４は、洗浄ポンプ２２から供給される水圧によって軸Ａの周りに回転する。洗浄ノズル２４は、洗浄ポンプ２２から供給された洗浄水を噴射口３０から噴射するとともに、軸Ａの周りに回転する。これによって、洗浄水が洗浄槽２０内の食器類に噴射され、洗浄が開始される。制御部４２は、洗浄ノズル２４の継続的な回転を実行することによって、継続的な洗浄を実行する。制御部４２は、洗浄の開始から期間ＴＡを経過した際に、洗浄ポンプ２２を停止期間ＴＬ（第３の期間の一例）に亘って一時的に停止する（Ｓ１４）。
【００２５】
停止期間ＴＬにおいて、制御部４２は、ファン３６を駆動する（Ｓ１６）。制御部４２は、ファン３６から出力される回転数を入力する。制御部４２は、ファン３６を期間ＴＮ（第１の期間の一例）に亘って駆動した後に、ファン３６を停止する（Ｓ１８）。制御部４２は、期間ＴＮに入力されたファン３６の回転数ＶＮ（第１の負荷の一例）を記憶する（Ｓ２０）。
【００２６】
次に制御部４２は、回転数ＶＭと回転数ＶＮの差を求める。（Ｓ２１）。一般に、回転数ＶＭは回転数ＶＮに比べて小さい。そのため、回転数ＶＮから回転数ＶＭを引くことで、回転数ＶＭと回転数ＶＮとの差の絶対値に相当する差回転数ＶＸを算出することができる。制御部４２は、算出した差回転数ＶＸと予め記憶されている基準値ＶＯとを比較する（Ｓ２２）。
【００２７】
食器洗浄機１０に食器洗浄機用洗剤が正しく使用されている場合、洗浄水からの泡の発生が抑制される。そのため、図２に示すように、期間ＴＡに亘って洗浄を実施した後においても、洗浄水から発生した泡が第２導入路３２ｂの洗浄槽２０の内部側の端部を覆うことがない。この結果、回転数ＶＭと回転数ＶＮはほぼ等しい値に維持され、差回転数ＶＸは基準値ＶＯよりも小さな値となる（Ｓ２２でＮＯ）。この場合、制御部４２は、洗浄ポンプ２２を駆動し（Ｓ２４）、洗浄を再開する。制御部４２は、洗浄ノズル２４を期間ＴＢに亘って駆動した後に、洗浄ポンプ２２を停止する（Ｓ２６）。制御部４２は、洗浄ポンプ２２を駆動することによって、洗浄槽２０の洗浄水を除去し（Ｓ２８）、洗浄工程Ｌ２を終了する。
【００２８】
その一方、食器洗浄機１０に台所用洗剤が誤って使用されている場合、洗浄の実施によって洗浄水から泡が発生する。そのため、図３に示すように、洗浄水から発生した泡５０が第２導入路３２ｂの洗浄槽２０の内部側の端部を覆う。これにより、導入路３２から供給される空気を、洗浄槽２０を介して排出路３４に送ることができず、ファン３６の負荷が減少する。この結果、回転数ＶＮが回転数ＶＭに比べて増大し、差回転数ＶＸは基準値ＶＯよりも大きな値となる（Ｓ２２でＹＥＳ）。この場合、図６に示すように、制御部４２は、消泡工程を実行する（Ｓ４２）。消泡工程は、排水工程と送風工程と給水工程と噴水工程を含んでいる。消泡工程の給水工程では、洗剤を含まない水が供給される。消泡工程では、制御部４２は、上記の工程を複数回に亘って実行することで、洗浄槽２０から泡５０を除去する。
【００２９】
消泡工程終了後、制御部４２は、洗浄ポンプ２２を駆動することによって、洗浄槽２０に溜まった水を除去する（Ｓ４４）。次に制御部４２は、給水電磁弁１４を開くことによって、給水管１５ａから洗浄槽２０に洗浄水を供給する（Ｓ４６）。次に制御部４２は、洗浄ポンプ２２を駆動することによって、洗浄ノズル２４に水を供給し（Ｓ４８）、第２の洗浄を開始する。制御部４２は、洗浄ノズル２４の継続的な回転を実行することによって、継続的な洗浄を実行する。制御部４２は、第２の洗浄の開始から期間ＴＣを経過した際に、洗浄ポンプ２２を停止期間ＴＬ２に亘って一時的に停止する（Ｓ５０）。
【００３０】
停止期間ＴＬ２において、制御部４２は、ファン３６を駆動する（Ｓ５２）。制御部４２は、ファン３６から出力される回転数を入力する。制御部４２は、ファン３６を期間ＴＵに亘って駆動した後に、ファン３６を停止する（Ｓ５４）。制御部４２は、期間ＴＵに入力されたファン３６の回転数ＶＵを記憶する（Ｓ５６）。制御部４２は、回転数ＶＭと回転数ＶＵの差を求める。（Ｓ５８）。制御部４２は、回転数ＶＵから回転数ＶＭを引くことで、差回転数ＶＹを算出する。制御部４２は、算出した差回転数ＶＹと基準値ＶＯとを比較する（Ｓ６０）。
【００３１】
ステップ２２において、消泡工程によって泡が除去される。そのため、図２に示すように、期間ＴＣに亘って第２の洗浄を実施した後においても、洗浄水から発生した泡が第２導入路３２ｂの洗浄槽２０の内部側の端部を覆うことがない。回転数ＶＭと回転数ＶＵはほぼ等しい値に維持され、差回転数ＶＹは基準値ＶＯよりも小さな値となる（Ｓ６０でＮＯ）。この場合、制御部４２は、図５に示すように、洗浄ポンプ２２を駆動し（Ｓ２４）、第２の洗浄を再開する。制御部４２は、洗浄ノズル２４を期間ＴＢに亘って駆動した後に、洗浄ポンプ２２を停止する（Ｓ２６）。制御部４２は、洗浄ポンプ２２を駆動することによって、洗浄槽２０の洗浄水を除去し（Ｓ２８）、洗浄工程Ｌ２を終了する。
【００３２】
その一方、ステップ２２において、洗剤自動投入機構を持つ食器洗浄機の場合、ステップ４６の給水によって再び台所用洗剤が注入されてしまう。そのため、図３に示すように、期間ＴＣの後において、洗浄水から発生した泡５０が第２導入路３２ｂの洗浄槽２０の内部側の端部を覆い、ファン３６の負荷が減少する。回転数ＶＵが回転数ＶＭに比べて増大し、差回転数ＶＹは基準値ＶＯよりも大きな値となる（Ｓ６０でＹＥＳ）。この場合、制御部４２は、図６に示すように、報知器４０を駆動して使用者に報知（Ｓ６２）し、洗浄工程Ｌ２を中断する（Ｓ６４）。使用者は、報知器４０の報知動作によって、食器洗浄機１０に台所用洗剤を誤って使用したことを気づくことができる。使用者は、食器洗浄機１０内の洗剤の交換等の必要な処理を講じることができる。
【００３３】
（洗浄後工程Ｌ３）
制御部４２は、洗浄工程Ｌ２の終了後、洗浄後工程Ｌ３を実行する。
制御部４２は、図５に示すように、すすぎ工程（Ｓ３０）を実行する。すすぎ工程は、給水工程と噴水工程と排水工程を含んでいる。すすぎ工程の給水工程では、洗剤を含まない水が供給される。すすぎ工程において、制御部４２は、上記の工程を単数あるいは複数回に亘って実行する。
【００３４】
次に制御部４２は、乾燥工程（Ｓ３２）を実行する。乾燥工程では、制御部４２は、ファン３６を駆動するとともに、ヒータ２６を加熱する。これによって、加熱された空気が洗浄槽２０に送風されるとともに、洗浄槽２０内の湿った空気が食器洗浄機１０外へと排出される。制御部４２は、洗浄後工程Ｌ３を終了し、一連の処理を終了する。
【００３５】
以上に説明したように、本実施例の食器洗浄機１０では、ファン３６の回転数を検知することで、洗浄槽２０の内部に泡が発生しているか否かを検知することができる。この食器洗浄機１０では、洗浄水の水量の影響を受けないファン３６の回転数を利用して洗浄槽２０の内部に泡が発生しているか否かを検知する。これによって、洗浄槽２０の内部に一般の台所用洗剤による多量の泡が発生しているか否かを精度良く検知することができる。
【００３６】
本実施例では、ファン３６の回転数から泡の発生を検知する際に、洗浄工程Ｌ２において記憶した回転数ＶＮ、ＶＵと洗浄前工程Ｌ１において記憶した回転数ＶＭを比較する。これによって、ファン３６自体の個体差や外気温等の要因、および洗浄槽２０内での食器類の配置によらずに泡の発生を正確に検知することができる。
【００３７】
以上、本明細書によって開示される食器洗浄機の具体例を詳細に説明したが、これらは例示にすぎず、特許請求の範囲を限定するものではない。特許請求の範囲に記載の技術には、以上に例示した具体例をさまざまに変形、変更したものが含まれる。
上記の実施例では、ファン３６の負荷を検知する際に、ファン３６の回転数を検知したが、ファン３６の負荷を検知する方法はそれだけに限られない。例えば、ファン３６の消費電流を検知してもよければ、ファン３６のトルクを検知してもよい。
また、必ずしも回転数ＶＭを検知する必要はない。制御部４２は、記憶した回転数ＶＮ、ＶＵと予め記憶された所定値とを直接比較することで泡の発生を検知してもよい。
【００３８】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３９】
１０   食器洗浄機
１２   洗浄機本体
１４   給水電磁弁
２０   洗浄槽
２２   洗浄ポンプ
２４   洗浄ノズル
２４ａ 中央ノズル
２４ｂ 回転ノズル
３０   噴射口
３２   導入路
３４   排出路
３６   ファン
３８   入力部
３８ａ 電源スイッチ
３８ｂ スタートスイッチ
４０   報知器
４２   制御部
４４   吸込流路
４６   インペラ
５０   泡
Ｌ１   洗浄前工程
Ｌ２   洗浄工程
Ｌ３   洗浄後工程
【図１】
2011004865.tif 000003
【図２】
2011004865.tif 000004
【図３】
2011004865.tif 000005
【図４】
2011004865.tif 000006
【図５】
2011004865.tif 000007
【図６】
2011004865.tif 000008